(57)【要約】      （修正有）【課題】  路面の氷を機械的に削り取った後、滑りずらい路面を創出する。【解決手段】  削氷刃９を回転させて路面を覆う氷の表面を削り、削り取られた氷の粒子や破片を、氷点下で水が凍結する性質を利用して再度路面に接着させるために、噴霧装置４から送られる水を噴射口８より霧にして路面に吹き付けて路面を水で濡らす。予め、削氷刃９後方の路面に接する部分に跳ね板５を設け、跳ね板５の裏側に噴射口８を設ける。路面と跳ね板５の間に氷の粒子や破片に邪魔されることのない小空間が生ずるため、この小空間で噴射口８より霧を路面に吹き付けると、まんべんなく路面を水で濡らすことができる。削氷機を前進させると、水で濡れた路面上は氷の粒子や破片が帯状に敷き詰められ、やがて、氷点下の外気に触れると表面の水分が短時間で路面に凍り着き、より固くザラザラしたスベリずらい路面を創出することができる。【選択図】図１
2006316597.tif 000002
【特許請求の範囲】
【請求項１】
回転する削氷刃（９）で路面を覆う氷を削り取り、飛散する氷の粒子と破片を氷点下で水が凍結する性質を利用して再び路面に接着させるために、噴霧装置（４）を設けて削り取られた路面に霧を吹き付けて路面を水で濡らす事により、氷の粒子と破片を路面に接着させます、この事により氷の粒子と破片が織り成すザラザラの凸凹を無数に設けて、滑りにくい状態の路面を創出する事を特徴とする削氷機。
【請求項２】
カバー（６）の内部で激しくぶつかり合う氷の粒子や破片に妨害されること無く、霧を効率良く路面に付着させるために、削氷刃（９）の後方の路面すれすれの位置に跳ね板（５）を斜に設け、回転する削氷刃（９）の刃先から飛び散る氷の粒子や破片を舞い上げると共に、跳ね板（５）の裏面に噴射口（８）を設けて、効率良く路面を水で濡らす事を特徴とする請求項１記載の削氷機。
【発明の詳細な説明】
【技術分野】
【０００１】  本発明は、冬の時期に路面を覆う雪が踏み固められて氷となり、つるつるに滑る状態の凍結路で転倒する事故が多発している事から、この様な事故を防止するために路面を覆う氷の表面を回転する削氷刃で機械的に削り取り、路面に傷をつけると共に、削り取られて飛散する氷の粒子や破片を再び路面に接着させ、路面にザラザラとした感触の凹凸を無数に創出することにより、歩行者の転倒を防止する削氷機に関するものである。
【背景技術】
【０００２】  寒さの厳しい北国では、冬期間圧雪やアイスバーンで、路面がつるつるに滑る状態になる事から歩行者の転倒事故が多発します、この様な事故を防止するために、人通りの多い歩道や施設の出入り口の周りには、滑り止めの砂が散布されます、散布直後はその効果を発揮しますが、日中太陽の光を浴びると砂の周囲は溶けやすくなり、砂が沈んでゆくために、滑り止めの効果が薄れてしまいます、やがて、数日後にはその効果を完全に失ってしまいます、ですから再度砂を散布しなければなりませんでした、冬期間における砂の散布の繰り返しで、春先の路面や歩道は一面砂だらけとなり風が吹くと舞い上がり健康にも悪影響を及ぼします、砂の散布には購入の費用を伴いますし、又、散布した砂を処理するためにも経費がかかります、しかし現状では他に良策もなくやむおえず砂が散布されているのが実態です。
【発明の開示】
【０００３】  転倒事故を防止するために行われている砂の散布は、環境や人体に悪影響があり問題が多いので、本発明は、路面を覆う氷の上に砂を散布して転倒を防止するのではなく、機械的に凍結路面を覆う氷の表面を削り取り、路面にキズを付けると共に、削られて飛び散る、氷の粒子や破片を砂の替わりとして利用するものです、削氷機はエンジン（１）と回転する削氷刃（９）及び噴霧装置（４）が組み合わされて一体となり、その機能が発揮される仕組みになっています、又、削氷機を移動をさせるために、図で示すように台座はソリ（７）になっていますので操作のためのハンドル（３）を、押したり引いたりする事で前進や後進をさせる事ができます、この様に構成された削氷機を稼働させますと、路面を削りながら前進してその後ろには氷の粒子や破片が帯状に敷き詰められます、この状態のままで足を踏み入れますと、氷の粒子や破片は潤滑油のような役割をして、より滑る状態となり更に大きな転倒事故を誘発します、この事から本発明は水が氷点下で凍結する原理を利用し、大変厄介なこれらの氷の粒子や破片を路面に接着させ、ザラザラ状の路面を創出しようとするものである、その事を可能にするため回転する削氷刃（９）で削り取られた路面の表面に水を吹き付けて濡らします、一方、飛び散る氷の粒子や破片は、回転する削氷刃（９）を覆うカバー（６）に遮られ、ぶつかり合いながら落下し、削氷機の移動後の路面上に帯状に敷き詰められます、水は氷点下で凍結して接着剤の役割をしますので、氷の粒子や破片を路面に固く接着させる事ができます、ザラザラとした感触の滑りにくい状態の路面を創出しますので、歩行者の転倒事故を防止する事ができるのです。
【発明が解決しようとする課題】
【０００４】  水が氷点下で凍結する原理を利用して、削り取られた氷の粒子や破片を路面に接着させるためには、外気温が氷点下で削氷機の稼働をしなければなりません、そのために使用する水が装置内で凍結して装置が破損する事がありますので、使用される水は加温して暖めなければなりません、ですから暖められた水は使用量が多すぎると凍結するまでに時間がかかり、氷の粒子や破片を解かせますので表面を滑らかにしてしまい、ザラザラとした路面を創出させるのには無理があります、使用される水量は最小限に抑えなければなりません、更に、回転する削氷刃（９）で路面の氷を削りますと、氷の粒子が後方に飛び散りますが、これらの氷の粒子は削氷刃（９）を覆うカバー（６）の中で激しくぶつかりあいながら敷き詰められて行きます、氷の粒子を路面に接着させるためには、氷の粒子が路面上に敷き詰められる直前に路面を水で濡らさなければなりません、しかし、カバー（６）の中で激しくぶつかりあう氷の粒子は、散水を妨げるために路面を効率良く濡らすことは大変困難な作業となります。
【課題を解決するための手段】
【０００５】  滑りずらい路面を創出するため、エンジン（１）の力で回転する削氷刃（９）を凍結路面に軽く触れさせながら前進させて路面を覆う氷の表面を削り取ります、回転する削氷刃（９）が路面の氷の表面に触れると、瞬時に氷の粒子が後方に飛び散ります、氷の粒子は削氷刃（９）を覆うカバー（６）の中で激しくぶつかりあいながら路面に敷き詰められて行きます、氷の粒子を路面に接着させるためには、氷の粒子が敷き詰められる直前に路面を水で濡らさなければなりません、しかし、水はカバー（６）の中で激しくぶつかりあう、氷の粒子に遮られるためにうまく路面を濡らす事ができませ、  その事を可能にするため本発明は、図１で示すように削氷刃（９）後方の路面に接する部分に、後方に飛び散る氷の粒子を舞い上げる跳ね板（５）を斜めに設けました、この事により路面と跳ね板（５）の間には、飛び散る氷の粒子や破片に邪魔をされることのない小さな空間が生じます、更に跳ね板（５）の裏側に噴射口（８）を設けて、噴霧装置（４）より送られる水を路面に吹き付けます、この様にして霧を噴霧する事により、最小限の水量で効率良く路面を水で濡らす事ができるのです、削氷機の移動後の路面上には氷の粒子や破片が帯状に敷き詰められ、やがて、氷点下の外気で水が凍結して接着剤の働きをするために、短時間で路面に凍り着きますのでザラザラした滑りずらい路面を創出する事ができるのです。
【発明の効果】
【０００６】  発明の効果を箇条書きに整理すると次の４項目にまとめる事が出来る、
【０００７】  ▲１▼砂を散布する替わりに氷の粒子や破片を利用するので環境や人体に無害である、
【０００８】  ▲２▼砂を購入する費用や、使用済みの砂を処理する面倒な作業から解放されます、
【０００９】  ▲３▼跳ね板（５）の裏から噴射される霧は、氷の粒子に邪魔されないで直接路面に吹き付けられるので、むらがなく効率良く路面を濡らす事ができる、
【００１０】  ▲４▼最小限の水量で路面を濡らすことができますので、短時間で氷の粒子や破片を路面に接着させることができます。
【発明を実施するための最良の形態】
【００１１】
【実施例１】
【００１２】  削氷機には移動手段として，ソリ（７）を履かせてありますので、ハンドル（３）に力を加えることにより前進や後進をさせることが出来ます、削氷刃（９）はソリ（７）の底の位置より少し下げて回転させると、路面を覆う氷の表面を簡単に削り取って行くことができます、この時に削り取られた氷の粒子は削氷刃（９）の後方に飛び散り、斜に設けた跳ね板（５）によって舞い上がります、ですから路面と跳ね板（５）の間には飛び散る氷の粒子に邪魔されることのない小さな空間が生じます、この狭い空間に跳ね板（５）の裏面に設けた噴射口（８）から噴霧装置（４）から送り込まれますので、水が霧となって路面に吹き付けられます、路面まんべんなく水で濡らされ、その直後に氷の粒子や破片で覆われて行きます、やがて氷点下の外気により水で濡れた状態の路面と、敷き詰められた氷の粒子や破片とが短時間で固く接合し、路面上がザラザラの滑りにくい状態となります、このような事から削氷機の稼働は冷え込みの厳しくなる夕方から翌朝に行われるとより効果的です。
【産業上の利用可能性】
【００１３】  北国の冬道は雪が多いために歩道と車道の区別がなくなります、歩行者は車道を歩かざるを得ません、近年スタッドレスタイヤの普及により車道は圧雪となり、その表面は見事なまでにツルツルの滑りやすい状態になり、車道でも転倒する事故が続発するのです、又、人通りの多い歩道やスーパー等の出入り口でも、踏み固められるために同じ様な状態になります、特に足腰の弱いお年寄りや障害のある人は、歩くことが困難となり戸外に出ることをためらいます、本発明の削氷機を稼働する事により創出されるザラザラの路面は、恐怖心をもたずに誰もが安心して歩く事ができます、又、削氷機を大型化することにより上り坂などの車道においても同様の処置を講ずることにより、スリップして立ち往生する車の流れを緩和することができます。
【図面の簡単な説明】
【００１４】
【図１】削氷機の横断面図
【図２】削氷機の背面図
【図３】削氷機の正面図
【符号の説明】
【００１５】  １    エンジン
２    温水タンク
３    ハンドル
４    噴霧装置
５    跳ね板
６    カバー
７    ソリ
８    噴射口
９    削氷刃
１０    照明灯
【図１】
2006316597.tif 000003
【図２】
2006316597.tif 000004
【図３】
2006316597.tif 000005